(57)【要約】【課題】電源立上げに使用される機械的な接点切替を要する切替手段における不必要な接点切替動作を軽減する。【解決手段】第１のサブ電源スイッチ２５６（ＳＷ−１）は、メカニカルスイッチである以上、電子的なスイッチング素子の寿命に比べ寿命が短い。そこで、第１の人感センサ２８、第２の人感センサ３０を常時給電用コンバータである第１の電源部２４８に接続することで、接点切替動作を軽減する。すなわち、第１の人感センサ２８、第２の人感センサ３０による、それぞれの移動体の検出を連携し、領域Ｆに入るが、領域Ｎには入らない、所謂素通りの移動体の検出時における、第１のサブ電源スイッチ２５６（ＳＷ−１）の不要な接点切替動作が回避される。【選択図】図７
2012177796.tif 000002
【特許請求の範囲】
【請求項１】
電力の供給を常時受けて動作する常時給電被動作部、必要に応じて適宜電力供給を受ける適宜給電被動作部、並びに前記適宜給電被動作部に対して電力供給を行うか否かを判別する判別制御部のそれぞれの動作に必要な電力の供給源である電源部と、
前記電源部と前記適宜給電被動作部との間に設けられ、当該適宜給電被動作部へ電力を供給するか否かを、機械的な接点の接触、非接触を伴う切り替え動作により切り替える切替手段と、
前記判別制御部に接続され、使用者を含む移動体が、予め設定された第１の領域内に存在しているか否かを検出する第１の移動体検出手段と、
前記判別制御部に接続され、当該判別制御部が前記第１の移動体検出手段から前記移動体の存在を示す信号を受けた時点で起動し、前記判別制御部における前記切替手段の接点切替方向の判別のための情報として、前記移動体が、前記第１の領域よりも狭くかつ前記被動作部に近い第２の領域内に存在しているか否かを検出する第２の移動体検出手段と、
を有する電力供給制御装置。
【請求項２】
電力の供給を常時受けて動作する常時給電被動作部、必要に応じて適宜電力供給を受ける適宜給電被動作部、並びに前記適宜給電被動作部に対して電力供給を行うか否かを判別する判別制御部のそれぞれの動作に必要な電力の供給源である電源部と、
前記電源部と前記適宜給電被動作部との間に設けられ、当該適宜給電被動作部へ電力を供給するか否かを、機械的な接点の接触、非接触を伴う切り替え動作により切り替える切替手段と、
前記判別制御部に接続され、使用者を含む移動体が、予め設定された第１の領域内に存在しているか否かを検出する第１の移動体検出手段と、
前記判別制御部に接続され、当該判別制御部が前記第１の移動体検出手段から前記移動体の存在を示す信号を受けた時点で起動し、前記判別制御部における前記切替手段の接点切替方向の判別のための情報として、前記移動体が、前記第１の領域よりも狭くかつ前記被動作部に近い第２の領域内に存在しているか否かを検出する第２の移動体検出手段と、
前記常時給電被動作部及び前記適宜給電被動作部を対象として、前記第１の移動体検出手段の検出結果、前記第２の移動体検出手段の検出結果、前記常時給電被動作部の動作状態の少なくとも一つに基づき、選択的に電力を受ける電力供給状態、及び電力を受けない電力非供給状態の間で状態を遷移させる状態遷移制御手段と、
を有する電力供給制御装置。
【請求項３】
前記判別制御部が、
前記第１の移動体検出手段からの検出信号に基づき、前記移動体が前記第１の領域内に存在することを認識した時点で、前記第２の移動体検出手段を有効とし、
前記第２の移動体検出手段からの検出信号に基づき、前記移動体が前記第２の領域内に存在することを認識した時点で、前記切替手段を制御して、前記適宜給電被動作部材へ電力を供給する請求項１又は請求項２記載の電力供給制御装置。
【請求項４】
前記常時給電被動作部が、前記移動体である使用者による操作情報を受け付ける操作系被動作部を備え、前記判別制御部は、前記第１の移動体検出手段による移動体検出時に前記操作系被動作部を起動させ、当該操作系被動作部の操作と、前記第２の移動体検出手段からの移動体検出信号と、を併用して、前記切替手段の切り替えを時期を制御する請求項１又は請求項２記載の電力供給制御装置。
【請求項５】
前記第１の移動体検出手段が、予め定められた検出領域内で、前記移動体が移動しているときと静止しているときとで異なる二値信号を出力する焦電型センサである請求項１〜請求項４の何れか１項記載の電力供給制御装置。
【請求項６】
前記第２の移動体検出手段が、予め定められた検出領域内に、前記移動体が存在するか否かで異なる二値信号を出力する反射型センサである請求項１〜請求項５の何れか１項記載の電力供給制御装置。
【請求項７】
前記電力非供給状態が、前記常時給電被動作部及び判別制御部に電力を供給するスリープモードを備え、かつ、前記電力供給状態が、前記スリープモードから被動作部を立ち上げるための準備段階であるウォームアップモード、前記常時給電被動作部に対して定常時よりも下げて電力を供給しておくスタンバイモード、常時給電被動作部に対して前記定常時の電力を供給するランニングモードを備えている請求項２〜請求項６の何れか１項記載の電力供給制御装置。
【請求項８】
前記請求項１〜請求項７の何れか１項記載の電力供給制御装置を備え、前記常時給電被動作部が前記ユーザーインターフェイス部を備え、前記適宜給電被動作部が、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記画像読取部、前記画像形成部、前記ファクシミリ通信制御部が、前記ユーザーインターフェイス部の操作又は外部通信受付による使用者からの指示に対して、相互に連携しあって当該画像処理機能を実行する画像処理装置。
【請求項９】
コンピュータを、前記請求項１〜請求項７の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
特許文献１には、画像処理装置に人感センサを設置して、当該画像処理装置に近づいてきた人を検出して、画像処理装置の電源を立上げて、消費電力の低減と利便性の両立を実現することが提案されている。
【０００３】
より詳しくは、人感センサとして、２点に設置された距離検出手段を採用し、人体の移動方向が所定のエリアに向かっているかどうかを判断し、その判断結果に基づいて、画像形成装置本体を制御しており、人感センサによる人体の接近の際、画像形成装置に近づいてきて、操作することなく素通りするといった事象（単なる歩行者）に対して、前記立上げが実行される場合を含んでいる。
【０００４】
特許文献２には、赤外線を発光しその反射光から近傍の人を検知する人体検知手段を備えた画像形成装置において、人体検知機能のオン／オフ制御機能を可能とすることが記載されている。これにより、他の赤外線を利用した装置への干渉を回避したり、不要な赤外線の発光を停止しセンサ寿命を上している。
【先行技術文献】
【特許文献】
【０００５】
【特許文献１】特開平０５−０４５４７１号公報
【特許文献２】特開２００１−２６５１６９号公報
【発明の概要】
【発明が解決しようとする課題】
【０００６】
本発明は、本構成を有しない場合に比べて、電源立上げに使用される機械的な接点切替を要する切替手段における不必要な接点切替動作を軽減することができる電力供給制御装置、画像処理装置、電力供給制御プログラムを得ることが目的である。
【課題を解決するための手段】
【０００７】
請求項１に記載の発明は、電力の供給を常時受けて動作する常時給電被動作部、必要に応じて適宜電力供給を受ける適宜給電被動作部、並びに前記適宜給電被動作部に対して電力供給を行うか否かを判別する判別制御部のそれぞれの動作に必要な電力の供給源である電源部と、前記電源部と前記適宜給電被動作部との間に設けられ、当該適宜給電被動作部へ電力を供給するか否かを、機械的な接点の接触、非接触を伴う切り替え動作により切り替える切替手段と、前記判別制御部に接続され、使用者を含む移動体が、予め設定された第１の領域内に存在しているか否かを検出する第１の移動体検出手段と、前記判別制御部に接続され、当該判別制御部が前記第１の移動体検出手段から前記移動体の存在を示す信号を受けた時点で起動し、前記判別制御部における前記切替手段の接点切替方向の判別のための情報として、前記移動体が、前記第１の領域よりも狭くかつ前記被動作部に近い第２の領域内に存在しているか否かを検出する第２の移動体検出手段と、を有している。
【０００８】
請求項２に記載の発明は、電力の供給を常時受けて動作する常時給電被動作部、必要に応じて適宜電力供給を受ける適宜給電被動作部、並びに前記適宜給電被動作部に対して電力供給を行うか否かを判別する判別制御部のそれぞれの動作に必要な電力の供給源である電源部と、前記電源部と前記適宜給電被動作部との間に設けられ、当該適宜給電被動作部へ電力を供給するか否かを、機械的な接点の接触、非接触を伴う切り替え動作により切り替える切替手段と、前記判別制御部に接続され、使用者を含む移動体が、予め設定された第１の領域内に存在しているか否かを検出する第１の移動体検出手段と、前記判別制御部に接続され、当該判別制御部が前記第１の移動体検出手段から前記移動体の存在を示す信号を受けた時点で起動し、前記判別制御部における前記切替手段の接点切替方向の判別のための情報として、前記移動体が、前記第１の領域よりも狭くかつ前記被動作部に近い第２の領域内に存在しているか否かを検出する第２の移動体検出手段と、前記常時給電被動作部及び前記適宜給電被動作部を対象として、前記第１の移動体検出手段の検出結果、前記第２の移動体検出手段の検出結果、前記常時給電被動作部の動作状態の少なくとも一つに基づき、選択的に電力を受ける電力供給状態、及び電力を受けない電力非供給状態の間で状態を遷移させる状態遷移制御手段と、を有している。
【０００９】
請求項３に記載の発明は、前記請求項１又は請求項２に記載の発明において、前記判別制御部が、前記第１の移動体検出手段からの検出信号に基づき、前記移動体が前記第１の領域内に存在することを認識した時点で、前記第２の移動体検出手段を有効とし、前記第２の移動体検出手段からの検出信号に基づき、前記移動体が前記第２の領域内に存在することを認識した時点で、前記切替手段を制御して、前記適宜給電被動作部材へ電力を供給する。
【００１０】
請求項４に記載の発明は、前記請求項１又は請求項２に記載の発明において、前記常時給電被動作部が、前記移動体である使用者による操作情報を受け付ける操作系被動作部を備え、前記判別制御部は、前記第１の移動体検出手段による移動体検出時に前記操作系被動作部を起動させ、当該操作系被動作部の操作と、前記第２の移動体検出手段からの移動体検出信号と、を併用して、前記切替手段の切り替えを時期を制御する。
【００１１】
請求項５に記載の発明は、前記請求項１〜請求項４の何れか１項記載の発明において、前記第１の移動体検出手段が、予め定められた検出領域内で、前記移動体が移動しているときと静止しているときとで異なる二値信号を出力する焦電型センサである。
【００１２】
請求項６に記載の発明は、前記請求項１〜請求項５の何れか１項記載の発明において、前記第２の移動体検出手段が、予め定められた検出領域内に、前記移動体が存在するか否かで異なる二値信号を出力する反射型センサである。
【００１３】
請求項７に記載の発明は、前記請求項２〜請求項６の何れか１項記載の発明において、前記電力非供給状態が、前記常時給電被動作部及び判別制御部に電力を供給するスリープモードを備え、かつ、前記電力供給状態が、前記スリープモードから被動作部を立ち上げるための準備段階であるウォームアップモード、前記常時給電被動作部に対して定常時よりも下げて電力を供給しておくスタンバイモード、常時給電被動作部に対して前記定常時の電力を供給するランニングモードを備えている。
【００１４】
請求項８に記載の発明は、前記請求項１〜請求項７の何れか１項記載の電力供給制御装置を備え、前記常時給電被動作部が前記ユーザーインターフェイス部を備え、前記適宜給電被動作部が、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記画像読取部、前記画像形成部、前記ファクシミリ通信制御部が、前記ユーザーインターフェイス部の操作又は外部通信受付による使用者からの指示に対して、相互に連携しあって当該画像処理機能を実行する画像処理装置である。
【００１５】
請求項９に記載の発明は、コンピュータを、前記請求項１〜請求項７の何れか１項記載の電力供給制御装置として実行させる電力供給制御プログラムである。
【発明の効果】
【００１６】
請求項１、２記載の発明によれば、本構成を有しない場合に比べて、電源立上げに使用される機械的な接点切替を要する切替手段における不必要な接点切替動作を軽減することができる。
【００１７】
請求項３記載の発明によれば、第１の移動体検出手段と第２の移動体検出手段とを円滑に連携でき、切替手段の切替頻度を軽減することができる。
【００１８】
請求項４記載の発明によれば、適宜被動作部への電力供給時期を適正に行うことができる。
【００１９】
請求項５に記載の発明によれば、反射型センサ等に比べて、検出距離を長くとることができる。
【００２０】
請求項６に記載の発明によれば、焦電型センサ等に比べて、移動体の存在を確実に検出することができる。
【００２１】
請求項７に記載の発明によれば、モード単位で遷移指示することができ、例えば、有効に部分節電を行うことができる。
【００２２】
請求項８、９記載の発明によれば、本構成を有しない場合に比べて、電源立上げに使用される機械的な接点切替を要する切替手段における不必要な接点切替動作を軽減することができる。
【図面の簡単な説明】
【００２３】
【図１】本実施の形態に係る画像処理装置を含む通信回線網接続図である。
【図２】本実施の形態に係る画像処理装置の概略図である。
【図３】本実施の形態に係る画像処理装置の制御系の構成を示すブロック図である。
【図４】本実施の形態に係るメインコントローラと電源装置の制御系を機能別に概略図である。
【図５】画像処理装置における、各モード状態と、当該モード状態の移行の契機となる事象を示したタイミングチャートである。
【図６】本実施の形態にかかり、画像処理装置及びその周辺示す平面図である。
【図７】本実施の形態に係る電力供給線配線図である。
【図８】人感センサによるスリープモード時監視制御ルーチンを示すフローチャートである。
【発明を実施するための形態】
【００２４】
図１に示される如く、本実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００２５】
また、このネットワーク通信回線網２０には、情報端末機器としての複数のＰＣ（パーソナルコンピュータ）２１が接続されている。図１では、２台のＰＣ２１が接続されているが、この数は限定されるものではなく、１台でもよいし、３台以上であってもよい。また、情報端末機器としては、ＰＣ２１に限定されるものではなく、さらには有線接続である必要もない。すなわち、無線によって情報を送受信する通信回線網であってもよい。
【００２６】
図１に示される如く、画像処理装置１０では、ＰＣ２１から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００２７】
図２には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００２８】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００２９】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００３０】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部（ＦＵＳＥＲ）を備えている。
【００３１】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００３２】
（制御系ハード構成）
図３は、画像処理装置１０の制御系のハード構成の概略図である。
【００３３】
ネットワーク回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。なお、ＵＩタイッチパネル２１６には、ＵＩタッチパネル用バックライト２１６ＢＬが取り付けられている。
【００３４】
また、画像処理装置１０は、電源装置２０２を備えており、メインコントローラ２００とはバス３３Ｅで接続されている。電源装置２０２は、商用電源２４２から電力の供給を受けている。電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。なお、図３では、信号のやりとりを行うバス３３Ａ〜３３Ｄと電力供給線３５Ａ〜３５Ｄとが混在しているため、以下の図３（及び図４）を用いた説明では、バス３３Ａ〜３３Ｄを主体に説明し、電力供給線３５Ａ〜３５Ｄに関しては、後述する（図７参照）。
【００３５】
また、メインコントローラ２００には、２個の第１の人感センサ２８、第２の人感センサ３０が接続されており、画像処理装置１０の周囲の人の有無を監視している。この第１の人感センサ２８、第２の人感センサ３０については後述する。
【００３６】
（部分節電構成を主体とした機能ブロック図）
図４は、前記メインコントローラ２００によって制御される処理部（「デバイス」、「モジュール」等と称する場合もある）、並びにメインコントローラ２００、並びに各デバイスへ電源を供給するための電源装置２０２の電源ラインを主体とした概略構成図である。本実施の形態では、画像処理装置１０が処理部単位で電力供給又は非供給が可能でとなっている（部分節電）。
【００３７】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００３８】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００３９】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００４０】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には複数本の配線である。
【００４１】
［電源装置２０２］
図４に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。第１の電源部２４８は、常時給電用コンバータとして機能し、第２の電源部２５０は各デバイスに選択的に、かつ適宜給電を制御するメインコンバータとして機能する。
【００４２】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通／非導通させるためのスイッチング制御を行う。
【００４３】
一方、第２の電源部２５０へ接続される電源線２５４には、機械的な接点の接触、非接触動作によって通電、非通電を切り替える第１のサブ電源スイッチ２５６（以下、「ＳＷ−１」という場合がある。）が介在されている。このＳＷ−１は、前記電源供給制御回路２５２で、接点が切り替わるように制御される。すなわち、ＳＷ−１は、電子的スイッチを用いた場合よりもスイッチオフ時の消費電力が小さい点や、スイッチオン時の電力損失が小さい点から、メカニカルスイッチが適用される。
【００４４】
また、第２の電源部２５０は、２４Ｖ電源部２５０Ｈ（ＬＶＰＳ２）と５Ｖ電源部２５０Ｌ（ＬＶＰＳ１）を備えている。２４Ｖ電源部２５０Ｈ（ＬＶＰＳ２）は主としてモーター等で使用される電源である。
【００４５】
第２の電源部２５０の２４Ｖ電源部２５０Ｈ（ＬＶＰＳ２）及び５Ｖ電源部２５０Ｌ（ＬＶＰＳ１）は、選択的に、画像読取部電源供給部２５８、画像形成部電源供給部２６０、ファクシミリ通信制御回路電源供給部２６４、ＵＩタッチパネル電源供給部２６６に接続されている。
【００４６】
画像読取部電源供給部２５８は、２４Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００４７】
画像形成部電源供給部２６０は、２４Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００４８】
ファクシミリ通信制御回路電源供給部２６４は、２４Ｖ電源部２５０Ｈ（ＬＶＰＳ２）と５Ｖ電源部２５０Ｌ（ＬＶＰＳ１）を入力源として、第５のサブ電源スイッチ２７４（以下、「ＳＷ−５」という場合がある。）を介して、ファクシミリ通信制御回路２３６に接続されている。
【００４９】
ＵＩタッチパネル電源供給部２６６は、５Ｖ電源部２５０Ｌ（ＬＶＰＳ１）と２４Ｖ電源部２５０Ｈ（ＬＶＰＳ２）を入力源として、第６のサブ電源スイッチ２７６（以下、「ＳＷ−６」という場合がある。）を介して、ＵＩタッチパネル２１６に接続されている。
【００５０】
前記第２のサブ電源スイッチ２６８、第３のサブ電源スイッチ２７０、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８〜２７６は電源装置２０２でなく、電源供給先の各デバイス内に配置されても良い。
【００５１】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００５２】
図７は、上記電源装置２０２における各デバイス等への電力供給線に特化した配線図である。言い換えれば、図７では信号の送受信の関係については省略しているが、配線構造は、上記図３及び図４で説明した配線となっているので、詳細な配線構造については省略し、以下、本実施の形態における特徴部分について説明する。
【００５３】
図７に示される如く、電源装置２０２の第１の電源部２４８は、電源供給制御回路２５２を常時通電状態としている。
【００５４】
この電源供給制御回路２５２は、節電中監視制御部２４に常時電力を供給している。これにより、例えば、メインコントローラ２００に電力供給がなされていない状態（スリープモード）であっても、節電中監視制御部２４には電力が供給されることになり、判別制御部として機能を持つ。
【００５５】
節電中監視制御部２４からは、第１の人感センサ２８、第２の人感センサ３０、節電解除ボタン２６に電力が供給されるようになっており、その電力供給時期は、節電中監視制御部２４の制御に依存される。
【００５６】
また、節電中監視制御部２４は、ファクシミリ通信制御回路２３６、ＵＩ制御回路２１４に電力を供給している。これらは、スリープモード中であっても、ファクシミリ受信やサーバープリント等、外部からの入力信号を受け付ける可能性があるものである。
【００５７】
また、電源装置２０２の第２の電源部２５０は、選択的に、ＵＩタッチパネル用バックライト２１６ＢＬ、ＩＣカードリーダ２１７、画像読取部２３８、画像形成部２４０へ電力を供給するようになっている。それぞれへの電力供給は、電源供給制御回路２５２に依存する。
【００５８】
（監視制御）
ここで、本実施の形態のメインコントローラ２００は、必要最小限の電力消費となるように、部分的にその機能を停止させる場合がある。或いは、メインコントローラ２００の大部分を含め、電力の供給を停止させる場合がある。これらを総称して「スリープモード（節電モード）」という場合がある。
【００５９】
スリープモードは、例えば、画像処理が終了した時点でタイマを起動させることで移行可能である。すなわち、前記タイマが起動してから所定時間をカウントすることで電力供給を停止させている。なお、所定時間が経過するまでに、何らかの操作（ハードキーの操作等）があれば、当然、スリープモードへのタイマカウントは中止され、次の画像処理終了時からタイマが起動される。
【００６０】
一方、上記スリープモード中において、常に電力を供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００６１】
ところで、前記節電中の監視において、例えば、通信回線検出部からプリント要求などが来たり、ＦＡＸ回線検出部からＦＡＸ受信要求が来ることで、節電中であったデバイスに対して、節電中監視制御部２４では、電源供給制御回路２５２を介して、第１のサブ電源スイッチ２５６、第２のサブ電源スイッチ２６８、第３のサブ電源スイッチ２７０、第５のサブ電源スイッチ２７４、第６のサブ電源スイッチ２７６を制御することで、電力を供給を行なうことが前提である。
【００６２】
また、メインコントローラ２００のＩ／Ｏ２１０には、節電解除ボタン２６が接続されており、節電中に使用者がこの節電解除ボタン２６を操作することで、節電が解除可能となっている。
【００６３】
ここで、スリープモードで監視するためには、節電中監視制御部２４以外に、節電解除ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。
【００６４】
なお、スリープモードの特定の期間（図５に示すアウェイクモード（ａｗｋ）において、ＵＩタッチパネル２１６やＩＣカードリーダー２１７等の入力系を主体とした必要最小限の電力供給を含む。
【００６５】
ところで、スリープモード時に使用者が画像処理装置１０の前に立ち、その後に節電解除ボタン２６を操作して、電力供給を再開した場合、画像処理装置１０が立ち上がるまでに時間を要する場合があった。
【００６６】
そこで、本実施の形態では、前記節電中監視制御部２４に、第１の人感センサ２８、第２の人感センサ３０を設置すると共に、スリープモードでは、使用者が節電解除ボタンを押す前に人感センサで検知して早期に電力供給を再開して、使用者が早く使えるようにした。なお、節電解除ボタン２６と第１の人感センサ２８、第２の人感センサ３０とを併用しているが、第１の人感センサ２８、第２の人感センサ３０のみで全ての監視を行うことも可能である。
【００６７】
第１の人感センサ２８、第２の人感センサ３０は、検出部２８Ａ、３０Ａと回路基板部２８Ｂ、３０Ｂとを備えており、回路基板部２８Ｂ，３０Ｂは、検出部２８Ａ、３０Ａで検出した信号の感度を調整したり、出力信号を生成する。
【００６８】
なお、第１の人感センサ２８は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。
【００６９】
第１の人感センサ２８の仕様は、画像処理装置１０の周囲において、人の動きを検出するものである。この場合、焦電素子の焦電効果を用いた赤外線センサ等が代表的である（焦電型センサ）。本実施の形態では、第１の人感センサ２８として焦電型センサを適用している。
【００７０】
この第１の人感センサ２８に適用された焦電素子の焦電効果を用いたセンサの最大の特徴は、検出領域が広いことである。また、人の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００７１】
一方、第２の人感センサ３０の仕様は、人の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００７２】
この第２の人感センサ３０に適用された反射型センサ等の最大の特徴は、受光部に入る光を遮断する／しないによって人の有無を確実に検出することである。また、投光部から投光される光量等により、受光部へ入射する光量に制限があるため、比較的近距離が検出領域である。
【００７３】
なお、第１の人感センサ２８、第２の人感センサ３０として、以下に示す機能をそれぞれ達成することが可能であれば、第１の人感センサ２８、第２の人感センサ３０として、焦電型センサや反射型センサに限定されるものではない。
【００７４】
上記構成の第１の人感センサ２８、第２の人感センサ３０の適用形態は、画像処理装置１０の状態（モード）によって設定する必要がある。
【００７５】
図５は、画像処理装置１０における、各モード状態と、当該モード状態の移行の契機となる事象を示したタイミングチャートである。
【００７６】
画像処理装置１０は、処理がなされていないと動作状態は、スリープモードとなり、本実施の形態では、節電中監視制御部２４にのみ電力が供給されている。
【００７７】
ここで、立ち上げ契機（立ち上げトリガの検出、或いは操作部の操作入力（キー入力））があると、動作状態はウォームアップモードへ遷移する。
【００７８】
なお、立ち上げトリガとは、操作者による節電解除操作、第１の人感センサ２８、第２の人感センサ３０による検出結果に基づく信号や情報等がある。
【００７９】
ウォームアップモードは画像処理装置１０を迅速に処理可能状態にもっていくため、各モードの内最大の電力消費量となるが、例えば、定着部におけるヒータとしてＩＨヒータを利用することによって、ハロゲンランプを用いたヒータよりもウォームアップモード時間は、比較的短い時間とされている。
【００８０】
ウォームアップモードによる暖機運転が終了すると、画像処理装置１０はスタンバイモードに遷移するようになっている。
【００８１】
スタンバイモードは、文字通り「事に備えて準備が完了している」モードであり、画像処理装置１０においては、画像処理の動作が即実行できる状態となっている。
【００８２】
このため、キー入力としてジョブ実行操作があると、画像処理装置１０の動作状態は、ランニングモードに遷移し、指示されたジョブに基づく画像処理が実行されるようになっている。
【００８３】
画像処理が終了すると（連続した複数のジョブが待機している場合は、その連続したジョブの全てが終了したとき）、画像処理装置１０の動作状態はスタンバイモードへ遷移する。このスタンバイモード中にジョブ実行指示があれば、再度ランニングモードへ遷移し、立ち下げトリガの検出がある、或いは予め定めた時間が経過したとき、スリープモードへ遷移するようになっている。
【００８４】
なお、立ち下げトリガとは、第１の人感センサ２８、第２の人感センサ３０による検出結果に基づく信号や情報等がある。
【００８５】
また、画像処理装置１０における実際の動作におけるモード状態の遷移が、全てこのタイミングチャートのとおり時系列で進行するものではない。例えば、ウォームアップモード後のスタンバイモードで処理が中止され、スリープモードへ移行する場合もある。
【００８６】
次に、本実施の形態の作用を説明する。
【００８７】
上記の如く画像処理装置１０は、スリープモード、ウォームアップモード、ランニングモードの間を相互に遷移しており、各モード毎に電力供給量が異なっている。
【００８８】
本実施の形態の画像処理装置１０では、予め定められた条件が揃うと、スリープモードへ移行する。このスリープモードでは、ファクシミリ通信制御回路２３６、画像読取部２３８、画像形成部２４０の各デバイスのみならず、節電中監視制御部２４を除くメインコントローラ２００、並びにＵＩタッチパネル２１６に対しても電力供給を遮断する。この場合、メインコントローラ２００に接続されている節電解除ボタン２６の機能も停止されることが好ましい。このため、周囲から画像処理装置１０を見ると、メイン電源スイッチが切られている状態とほぼ同等の状態となる。すなわち、スリープモードが確実に実行されていることが、周囲から確認可能な状態となる（「見える化」の実現）。
【００８９】
ここで、本実施の形態では、第１の人感センサ２８、第２の人感センサ３０を適用し、当該第１の人感センサ２８、第２の人感センサ３０を画像処理装置１０の動作状態（各モード）に適応させ、画像処理装置１０の全体として、消費電力を軽減するための制御を実行している。
【００９０】
第１の人感センサ２８は、画像処理装置１０の周囲において、第２の人感センサ３０の検出領域よりも広い領域を検出領域（以下、「第１の領域Ｆ」という）としている。例えば、第１の人感センサ２８の検出領域は、画像処理装置１０が設置されている場所の環境にもよるが、目安として２〜３ｍ程度である（図６の第１の領域Ｆ(far)参照）。
【００９１】
一方、第２の人感センサ３０は、前記第１の人感センサ２８の検出領域（第１の領域Ｆ）よりも狭い領域を検出領域（以下、「第２の領域Ｎ」という）としている。例えば、第２の人感センサ３０の検出領域は、画像処理装置１０のＵＩタッチパネル２１６やハードキーの操作が可能な範囲であり、目安として０〜０．５ｍ程度である（図６の第２の領域Ｎ(near)参照）。
【００９２】
第１の人感センサ２８の仕様は、人の動きを検出するものであり、焦電素子の焦電効果を用いた赤外線センサ等が代表的である。
【００９３】
この第１の人感センサ２８の最大の特徴は、検出領域が広いことである（前記２〜３ｍ、又はそれ以上が可能）。また、人の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００９４】
本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００９５】
但し、人が画像処理装置１０の前で、例えば画像形成や画像読取等の処理を待つ間、その場でストレッチ運動等を行うと、人感センサ２８では、人の存在を検出する場合もある。
【００９６】
従って、当該「静止」を定義して第１の人感センサ２８の感度を調整するのではなく、感度は、比較的おおまか、かつ標準的に調整し、当該第１の人感センサ２８の検出状態に依存するようにしてもよい。すなわち、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とすればよい。
【００９７】
第２の人感センサ３０の仕様は、人の有無（存在・不存在）を検出するものであり、投光部と受光部とを備えた反射型センサ等が代表的である。なお、投光部と受光部とが分離された形態であってもよい。
【００９８】
この第２の人感センサ３０の最大の特徴は、受光部に入る光を遮断する／しないによって人の有無を確実に検出することである。また、投光部から投光される光量等により、受光部へ入射する光量に制限があるため、比較的近距離が検出領域である（前記０〜０．５ｍ前後）。
【００９９】
ここで、本実施の形態の画像処理装置１０に搭載される、前記第１の人感センサ２８及び第２の人感センサ３０は、前述したように前記節電中監視制御部２４に接続され、その検出信号が節電中監視制御部２４へ入力されるようになっている。
【０１００】
ところで、人（移動体）と画像処理装置１０との関係は、大きく分けて３形態あり、第１の形態は、人が画像処理装置１０に対して、使用目的で操作可能位置まで近づいてくる形態（図６のＡ線矢視の動向（Ａパターン）参照）、第２の形態は、人が処理装置を使用目的ではないが、操作可能位置まで近づいてくる形態（図６のＢ線矢視の動向（Ｂパターン）参照）、第３の形態は、人が処理装置の操作可能位置まで近づかないが、第１の形態、第２の形態に移行する可能性のある距離まできている形態（図６のＣ線矢視の動向（Ｃパターン）参照）。
【０１０１】
節電中監視制御部２４では、前記第１の人感センサ２８の検出信号に基づく、上記３種類の形態に基づいて、まず、第１の人感センサ２８、並びにメインコントローラ２００におけるＵＩタッチパネル２１６や節電解除ボタン２６を含むコピー実行等を指示するハードキー等の入力系への電力供給を実行する。この状態は、依然としてスリープモードと定義してもよいし、節電中監視制御部２４のみの電力供給よりも電力供給量が増加するので、アウェイクモード「ａｗｋ」（目覚めモード）として定義してもよい（図５の遷移図における、スリープモード範囲の括弧［  ］内参照）。
【０１０２】
その後、第２の人感センサ３０による使用者の検出、或いはＵＩタッチパネル２１６又はハードキー等による操作指示によって、当該操作指示された機能に必要なデバイスに対して電力供給を実行する。
【０１０３】
ところで、前記移動体の移動形態の内、結果的に図６のＣパターンとなるとしても、第１の領域Ｆ内に入ってきた時点で、利便性確保のため、少なくとも、アウェイクモードまで立ち上げ、或いは、スタンバイモードへ立ち上げる場合がある。この立ち上げには、第２の電源部２５０を起動するべく、第１のサブ電源スイッチ（ＳＷ−１）２５６の接点を切り替える動作を必要としていた。
【０１０４】
この第１のサブ電源スイッチ２５６は、所謂メカニカルスイッチであるため、前記Ｃパターン、或いはＢパターンの頻度がＡパターンの頻度よりも高い場合には、無駄な切替動作ということになる。さらには、メカニカルスイッチである以上、電子的スイッチ素子よりも寿命が短いため、無駄な切替動作は極力回避することが好ましい。
【０１０５】
そこで、本実施の形態では、第１の人感センサ２８、第２の人感センサ３０を第１の電源部２４８、すなわち、常時給電用コンバータ（第１の電源部２４８）側に設け、この第１の人感センサ２８、第２の人感センサ３０の連携によるスリープモード中の使用者判別制御により、第２の電源部２５０、すなわち、メインコンバータ側を立ち上げるための第１のサブ電源スイッチ（ＳＷー１）２５６の切替動作を必要最小限にするようにした。
【０１０６】
図８には、本実施の形態に係る人感センサによるスリープモード時監視制御ルーチンを示すフローチャートが示されている。
【０１０７】
ステップ１００では、第１の人感センサ２８により移動体（使用者）を検出したか否かが判断され、否定判定された場合は、このルーチンは終了する。なお、リターン後は、スリープモード中は、他の制御は行われていない（或いは、殆ど行われていない）ので、直ちに、図８のステップ１００へ戻ることになる。
【０１０８】
また、ステップ１００で肯定判定されると、ステップ１０２へ移行して、第２の人感センサ３０を起動（検出信号を有効）し、次いでステップ１０４へ移行してＵＩ制御回路２１４を起動してステップ１０６へ移行する。
【０１０９】
ステップ１０６では、第２の人感センサ３０により移動体（使用者）を検出したか否かが判断され、否定判定されるとステップ１０８へ移行して、予め定めた時間が経過したか否かが判断される。このステップ１０８における時間は、図６で言うところの、移動体が領域Ｆ内に入り、領域Ｎ内には入らずに、領域Ｆ外に出て行く形態（図６のパターンＣ）か否かを判別する時間であり、画像処理装置１０の設置場所にもよるが、５秒〜１０秒程度が好ましい。なお、この時間に限定されるものではなく、利便性と省エネ性の二律背反の観点から決定すればよい。
【０１１０】
このステップ１０８で否定判定された場合は、ステップ１０６へ戻り、上記ステップ１０６、１０８を繰り返す。ここで、ステップ１０８で肯定判定された場合は、ステップ１１８へ移行する。ステップ１１８以降については後述する。
【０１１１】
また、ステップ１０６で肯定判定された場合は、ステップ１１０へ移行して第１のサブ電源スイッチ２５６（ＳＷ−１)の接点を接触側に切り替え、ステップ１１２へ移行する。
【０１１２】
ステップ１１２では、立ち上げトリガを出力し、スリープモードからウォームアップモードを介してスタンバイモードへ遷移するように指示し、ステップ１１４へ移行する。
【０１１３】
ステップ１１４では、第２の人感センサ３０により移動体（使用者）を検出したか否かが判断され、否定判定されるとステップ１１６へ移行して、予め定めた時間が経過したか否かが判断される。このステップ１１６における時間は、図６で言うところの、移動体が領域Ｎ内に入り、この領域Ｎ内で立ち止まっているか否か（図６のＡパターン）を判別する時間であり、１秒〜５秒程度が好ましい。なお、この時間に限定されるものではなく、利便性と省エネ性の二律背反の観点から決定すればよい。
【０１１４】
このステップ１１６で否定判定された場合は、ステップ１１４へ戻り、上記ステップ１１４、１１６を繰り返す。ここで、ステップ１１６で肯定判定された場合は、ステップ１１８へ移行する。
【０１１５】
ステップ１１８では、第２の人感センサ３０の起動を解除し（信号を無効とし）、次いでステップ１２０へ移行して、ＵＩ制御回路２１４の起動を解除して、このルーチンは終了する。
【０１１６】
また、ステップ１１４で肯定判定されると、ステップ１２０へ移行して、ＵＩタイッチパネル等の操作があったか否かが判断される。このステップ１２０で否定判定されるとステップ１２２へ移行して、予め定めた時間が経過したか否かが判断される。このステップ１２２における時間は、使用者が装置前に立ち止って、操作をするか否かを判別する時間であり、操作待ち時間を含め３０秒前後が好ましい。なお、この時間に限定されるものではなく、利便性と省エネ性の二律背反の観点から決定すればよい。また、時間を区切り、途中でＵＩタッチパネルの表示部に操作を促すメッセージを表示したり、アラーム音を鳴らしたりしてよい。例えば、１０秒後にメッセージを表示し、２０秒後にアラーム音を鳴らし、２５秒後にＵＩタッチパネル２１６の表示部にスリープモードへ遷移する旨を表示する。
【０１１７】
また、ステップ１２０で肯定判定されると、ステップ１２４へ移行して指示された動作の実行を指示して、このルーチンは終了する。
【０１１８】
本実施の形態によれば、第１のサブ電源スイッチ２５６（ＳＷ−１）は、メカニカルスイッチである以上、電子的なスイッチング素子の寿命に比べ寿命が短い。そこで、第１の人感センサ２８、第２の人感センサ３０を常時給電用コンバータである第１の電源部２４８に接続することで、接点切替動作を軽減する。すなわち、第１の人感センサ２８、第２の人感センサ３０による、それぞれの移動体の検出を連携し、領域Ｆに入るが、領域Ｎには入らない、所謂素通りの移動体の検出時における、第１のサブ電源スイッチ２５６（ＳＷ−１）の不要な接点切替動作が回避される。
【符号の説明】
【０１１９】
Ｗ    壁面
１０    画像処理装置
２０    ネットワーク通信回線網
２１    ＰＣ
２２    電話回線網
２４    節電中監視制御部
２６    節電解除ボタン
２８    人感センサ
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路（電力供給制御手段）
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取部電源供給部
２６０    画像形成部電源供給部
２６４    ファクシミリ通信制御回路電源供給部
２６６    ＵＩタッチパネル電源供給部
２６８    第２のサブ電源スイッチ（「ＳＷ−２」）
２７０    第３のサブ電源スイッチ（「ＳＷ−３」）
２７４    第５のサブ電源スイッチ（「ＳＷ−５」）
２７６    第６のサブ電源スイッチ（「ＳＷ−６」）
【図１】
2012177796.tif 000003
【図２】
2012177796.tif 000004
【図３】
2012177796.tif 000005
【図４】
2012177796.tif 000006
【図５】
2012177796.tif 000007
【図６】
2012177796.tif 000008
【図７】
2012177796.tif 000009
【図８】
2012177796.tif 000010